(57)【要約】      （修正有）【課題】保守作業者（ＣＥ）が保守操作を行う保守操作項目のうちの重要項目については保守作業者および管理者が管理できる電子機器、および保守操作管理方法を提供する。【解決手段】画像形成装置１００において、ユーザを識別するユーザＩＤの入力を受け付ける入力受付部１０２と、画像形成装置１００の保守操作を示す項目である保守操作項目を、保守操作を行う保守作業者（ＣＥ）および画像形成装置１００を管理する管理者が管理する項目である重要項目に設定する項目管理部１０４と、を備える。入力受付部１０２は、ＣＥのユーザＩＤの入力を受け付けた後、重要項目の設定を解除する変更指示を受け付け、項目管理部１０４は、変更指示を受け付けた後、管理者のユーザＩＤを受け付けた場合に、重要項目の設定を解除する。【選択図】図２
2019159429.tif 000002
【特許請求の範囲】
【請求項１】
電子機器であって、
ユーザを識別するユーザ識別情報の入力を受け付ける入力受付部と、
前記電子機器の保守操作を示す項目である保守操作項目を、保守操作を行う保守作業者および前記電子機器を管理する管理者が管理する項目である重要項目に設定する項目管理部と、を備え、
前記入力受付部は、前記保守作業者を識別する第１の識別情報の入力を受け付けた後、前記重要項目の設定を解除する変更指示を受け付け、
前記項目管理部は、前記変更指示を受け付けた後、前記管理者を識別する第２の識別情報を受け付けた場合に、前記重要項目の設定を解除する、電子機器。
【請求項２】
前記保守操作を実行する実行部をさらに備え、
前記入力受付部は、さらに、前記保守操作の実行指示の入力を受け付け、
前記実行部は、前記実行指示を受け付けた前記保守操作を示す前記保守操作項目が前記重要項目に設定されていた場合、前記実行指示を受け付けた後、前記第２の識別情報を受け付けた場合に、前記保守操作を実行する、請求項１に記載の電子機器。
【請求項３】
前記重要項目に設定された前記保守操作項目の前記保守操作を実行した場合、当該保守操作が実行された旨を示すログを記録するログ管理部をさらに備える、請求項２に記載の電子機器。
【請求項４】
前記ユーザ識別情報を入力するためのログイン画面と、前記変更指示および前記実行指示を入力するための保守操作画面と、を表示部に表示する表示制御部と、
前記ユーザ識別情報の入力を受け付けた場合、記憶部に記憶されているユーザを認証するための認証情報と照合して認証処理を行う認証部と、をさらに備え、
前記表示制御部は、前記ログイン画面から入力された前記第１の識別情報の認証処理が成功した場合に前記保守操作画面を表示し、前記保守操作画面から前記変更指示または前記実行指示を受け付けた場合に前記ログイン画面を表示し、
前記項目管理部は、前記変更指示を受け付けた後、前記ログイン画面から入力された前記第２の識別情報の認証処理が成功した場合に、前記重要項目の設定を解除し、
前記実行部は、前記実行指示を受け付けた後、前記ログイン画面から入力された前記第２の識別情報の認証処理が成功した場合に、前記保守操作を実行する、請求項３に記載の電子機器。
【請求項５】
電子機器で実行される保守操作管理方法であって、
前記電子機器の保守操作を示す項目である保守操作項目を、保守操作を行う保守作業者および前記電子機器を管理する管理者が管理する項目である重要項目に設定する第１の項目管理ステップと、
前記保守作業者を識別する第１の識別情報を受け付ける第１の受付ステップと、
前記第１の識別情報の入力を受け付けた後、前記重要項目の設定を解除する変更指示を受け付ける第２の受付ステップと、
前記変更指示を受け付けた後、前記管理者を識別する第２の識別情報を受け付ける第３の受付ステップと、
前記変更指示を受け付けた後、前記第２の識別情報を受け付けた場合に、前記重要項目の設定を解除する第２の項目管理ステップと、を含む、保守操作管理方法。
【発明の詳細な説明】
【技術分野】
【０００１】
本発明は、電子機器、および保守操作管理方法に関する。
【背景技術】
【０００２】
従来、製品の保守作業を行う保守作業者（ＣＥ：Customer  Engineer）ができることを制限する必要がある場合があり、予めＣＥ毎に保守操作が可能な範囲を設定できる技術が知られている（例えば、特許文献１参照）。
【０００３】
特許文献１は、保守操作を施すことが可能な範囲が設定できる電子機器であって、当該電子機器の保守実施者（ＣＥ）の正当性を確認すると、変更指示に応答して、該所定の保守操作範囲を一時的に変更するものである。
【発明の概要】
【発明が解決しようとする課題】
【０００４】
しかしながら、従来のＣＥ毎に保守操作が可能な範囲を制限する技術では、機器導入時にＣＥの保守操作項目から重要項目を定めるが、当該重要項目の保守操作を実行しても、機器の管理者が当該保守操作を管理することができなかった。
【０００５】
また、近年、特定の機関（例えば、セキュリティ認証の評価機関）が製品ローンチ後の評価によって保守操作項目のうちセキュリティ上の重要項目（管理者が管理するべき項目）が見直されるケースがある。重要項目は製品毎にも異なり、ＣＥはＣＥ向けの設定マニュアルなどに記載された保守操作項目を機器導入時（運用開始時）に決められた設定値に設定するという管理を行っている。しかし、機器の運用開始後に保守操作項目を変更したり、設定値を変更する場合、管理者がその変更を把握することができなかった。
【０００６】
本発明は、上記に鑑みてなされたものであって、保守作業者（ＣＥ）が保守操作を行う保守操作項目のうちの重要項目については保守作業者および管理者が管理することができる電子機器、および保守操作管理方法を提供することを目的とする。
【課題を解決するための手段】
【０００７】
上述した課題を解決し、目的を達成するために、本発明は、電子機器であって、ユーザを識別するユーザ識別情報の入力を受け付ける入力受付部と、前記電子機器の保守操作を示す項目である保守操作項目を、保守操作を行う保守作業者および前記電子機器を管理する管理者が管理する項目である重要項目に設定する項目管理部と、を備え、前記入力受付部は、前記保守作業者を識別する第１の識別情報の入力を受け付けた後、前記重要項目の設定を解除する変更指示を受け付け、前記項目管理部は、前記変更指示を受け付けた後、前記管理者を識別する第２の識別情報を受け付けた場合に、前記重要項目の設定を解除する。
【発明の効果】
【０００８】
本発明によれば、保守作業者（ＣＥ）が保守操作を行う保守操作項目のうちの重要項目については保守作業者および管理者が管理することができるという効果を奏する。
【図面の簡単な説明】
【０００９】
【図１】図１は、実施形態の画像形成装置のハードウェア構成を示す説明図である。
【図２】図２は、実施形態の画像形成装置の機能構成を示すブロック図である。
【図３】図３は、認証情報の一例を示す図である。
【図４】図４は、保守操作項目情報の一例を示す図である。
【図５】図５は、メニュー画面の一例を示す図である。
【図６】図６は、ログイン画面の一例を示す図である。
【図７】図７は、ＣＥモード画面の一例を示す図である。
【図８−１】図８−１は、本実施形態の画像形成装置で実行される保守管理操作処理の流れを示すフローチャートである。
【図８−２】図８−２は、本実施形態の画像形成装置で実行される保守管理操作処理の流れを示すフローチャートである。
【発明を実施するための形態】
【００１０】
以下に添付図面を参照して、電子機器、および保守操作管理方法の実施形態を詳細に説明する。本実施形態では、電子機器を画像形成装置に適用した場合について説明する。図１は、実施形態の画像形成装置のハードウェア構成を示す説明図である。
【００１１】
図１に示すように、画像形成装置１００は、ＣＰＵ（Central  Processing  Unit）７１と、ＲＯＭ（Read  Only  Memory）７２と、ＲＡＭ（Random  Access  Memory）７３と、ＨＤＤ（Hard  Disk  Drive）７４と、通信Ｉ／Ｆ７５と、操作パネル７６と、エンジンＩ／Ｆ７７と、を備え、各部はバス７８により通信可能に接続されている。
【００１２】
ＣＰＵ７１は、画像形成装置１００全体の動作を制御する演算装置である。ＲＯＭ７２は、画像形成装置１００用のプログラムを記憶している不揮発性記憶装置である。ＲＡＭ７３は、ＣＰＵ７１の演算用のワークエリアとして使用される揮発性記憶装置である。ＨＤＤ７４は、画像データおよび印刷データ等の各種データを記憶する外部記憶装置である。
【００１３】
通信Ｉ／Ｆ７５は、ネットワークを利用してデータを通信するためのインターフェースである。操作パネル７６は、例えば、タッチパネル等であり、画像形成装置１００に対する入力を受け入れるとともに、画像形成装置１００の状態や設定等を表示する装置である。操作パネル７６は、表示部の一例である。
【００１４】
エンジンＩ／Ｆ７７は、プリンタエンジン７９と通信するためのインターフェースである。プリンタエンジン７９は、スキャナ機能およびプリンタ機能等を実現するハードウェア装置である。ここで、スキャナ機能とは、原稿データを読み取ってスキャナ画像を生成する機能である。また、プリンタ機能とは、上述のスキャナ画像、または情報処理装置などから送信されたデータに対して画像処理を実行し、出力可能な形式であるプロッタ画像を、印刷用紙に印字する機能である。
【００１５】
次に、画像形成装置１００の機能構成について図を用いて説明する。図２は、実施形態の画像形成装置の機能構成を示すブロック図である。図２に示すように、画像形成装置１００は、表示制御部１０１と、入力受付部１０２と、認証部１０３と、項目管理部１０４と、実行部１０５と、ログ管理部１０６と、記憶部１２０とを備えている。
【００１６】
記憶部１２０は、各種情報や画面等を保存するものであって、ＨＤＤ７４によって実現される。具体的には、記憶部１２０は、ユーザの認証に用いる認証情報を保存している。図３は、認証情報の一例を示す図である。図３に示すように、認証情報は、ユーザの識別情報であるユーザＩＤ（identification）およびユーザのパスワードと、ロールとが対応付けられている。ユーザＩＤおよびパスワードは、ユーザの認証処理を実行するために用いる。ロールとは、ユーザの種別を示すものであって、例えば、画像形成装置１００（電子機器）の保守操作を行う保守作業者であるＣＥ（Customer  Engineer）や画像形成装置１００を管理する管理者、一般のユーザなどがある。これにより、ユーザＩＤとパスワードが入力された場合、それらを入力したユーザがＣＥかどうかや管理者かどうかなど、ユーザの種別を判別できる。ここで、ＣＥのユーザＩＤおよびパスワードが第１の識別情報の一例であって、管理者のユーザＩＤおよびパスワードが第２の識別情報の一例である。
【００１７】
また、記憶部１２０は、画像形成装置１００の保守操作を示す項目である保守操作項目に関連する情報である保守操作項目情報を保存している。図４は、保守操作項目情報の一例を示す図である。図４に示すように、保守操作項目情報は、保守操作項目番号と、操作項目名と、項目タイプと、重要管理状態と、属性１、２、３と、が対応付けられている。
【００１８】
保守操作項目番号とは、保守操作項目を示す番号であって、例えば「5-5812-1」、「5-5816-1」等である。操作項目名は、保守操作項目の名称であって、例えば「サービス電話番号設定」、「ＣＳＳ設定」等である。項目タイプは、保守操作項目の種類を示す型であって、例えば「文字列型」、「整数型」、「実行型」等である。「文字列型」や「整数型」では、文字列や整数により表示される保守操作項目を示している。「実行型」では、実行される保守操作項目を示している。重要管理状態とは、保守操作項目が重要項目として設定されているか否かを示しており、「否」か「重要」で示している。重要項目とは、例えば、セキュリティ上、ＣＥ（保守作業者）および管理者が把握、管理するべき項目である。属性１、２、３は、保守操作に関連する情報であって、例えば、保守操作項目の文字や整数による設定値や、保守操作の実行内容などである。
【００１９】
また、記憶部１２０には、保守操作が実行された場合の保守操作項目を識別する情報（保守操作項目番号や操作項目名など）や実行パラメータ、実行日時がログとして保存される。
【００２０】
表示制御部１０１は、操作パネル７６に各種画面や情報を表示するものである。例えば、表示制御部１０１は、画像形成装置１００を起動した場合、初期画面としてメニュー画面を表示する。図５は、メニュー画面の一例を示す図である。図５に示すように、メニュー画面には、コピーを実行を指示するコピーボタンや、スキャンを実行を指示するスキャナボタン、ファクス送信実行を指示するファクスボタンなどが表示されている。そして、メニュー画面の右上に、ユーザがログインするためのログインボタンａが表示されている。
【００２１】
メニュー画面に表示されたログインボタンａがタッチ（押下）されると、表示制御部１０１は、ＣＥや管理者のユーザＩＤおよびパスワードを入力してログインするためのログイン画面を表示する。図６は、ログイン画面の一例を示す図である。図６に示すように、ログイン画面には、ユーザＩＤの入力欄ｂと、パスワードの入力欄ｄと、ユーザＩＤとパスワードが入力された後にログインするためのログインボタンｇと、ログイン画面からメニュー画面に戻るためのキャンセルボタンｆと、が表示される。
【００２２】
ログイン画面から、ＣＥのユーザＩＤとパスワードが入力されて、ログイン（認証処理が成功）すると、ＣＥが保守操作を実行したり、重要項目の設定や解除をしたり、保守操作の設定値を変更するためのＣＥモードに移行し、表示制御部１０１は、ＣＥモード画面を表示する。ＣＥモード画面は、例えば、保守操作の実行指示の入力、重要項目の設定および解除をする変更指示、および保守操作の設定値の変更入力をするための画面であって、保守操作画面の一例である。
【００２３】
図７は、ＣＥモード画面の一例を示す図である。図７に示すように、ＣＥモード画面は、図４に示す保守操作項目情報に基づいて生成され、保守操作項目番号ｈと、保守操作項目ｉと、重要管理状態ｊと、重要管理フラグのチェックボックスｋと、ログアウトボタンｎと、詳細情報αとが表示されている。保守操作項目番号ｈは、図４で示した保守操作項目番号と同様であって、保守操作項目を示す番号である。保守操作項目ｉは、図４で示した操作項目名と同様であって、保守操作項目の名称である。保守操作項目ｉは、タッチ（押下）されると選択される。ログアウトボタンｎは、タッチされるとログアウトされる。
【００２４】
重要管理状態ｊは、図４で示した重要管理状態と同様であって、保守操作項目が重要項目として設定されているか否かを示している。具体的には、重要管理フラグのチェックボックスｋがチェックされている場合に、選択されている保守操作項目が重要項目に設定されており、チェックが外されている場合（ない場合）に、選択されている保守操作項目は重要項目に設定されていないことがわかる。従って、チェックボックスｋをチェックした場合に、選択されている保守操作項目を重要項目にする設定を受け付け、チェックを外した場合に、選択されている保守操作項目を重要項目から解除する設定を受け付ける。なお、当該チェックボックスをチェックしたり、チェックを外すことが、変更指示の入力となる。
【００２５】
また、詳細情報αは、いずれかの保守操作項目ｉがタッチされて選択されると、選択された保守操作項目に応じた詳細である。図７の詳細情報αは、文字列型や整数型の項目タイプの保守操作項目が選択された場合を示している。図７に示すように、例えば、文字列型や整数型の保守操作項目が選択された場合には、設定値を入力する変更入力欄ｌと、ソフトキーボード（画面上に表示されるキーボード）を開くための操作ボタンｍとが表示される。操作ボタンｍがタッチされると、ソフトキーボードが表示され、当該ソフトキーボードの文字をタッチすることで保守操作項目の設定値を入力できる。
【００２６】
また、実行型の項目タイプの保守操作項目が選択された場合には、例えば、保守操作を実行するための実行ボタンが表示され、当該実行ボタンがタッチされると、保守操作が実行される。なお、実行ボタンのタッチ（押下）が、実行指示の入力となる。
【００２７】
なお、本実施形態の画像形成装置１００では、ログイン画面からユーザがユーザＩＤおよびパスワードを入力してログインすることによりＣＥモードに移行する例を説明したが、所定の操作（例えば、ジェスチャやキー操作の組合せ等）によりＣＥモードに移行する構成にしてもよい。
【００２８】
入力受付部１０２は、ユーザにより各種指示の入力や選択の入力を受け付けるものである。具体的には、入力受付部１０２は、メニュー画面（図５）において、ログインボタンａがタッチされることにより、ログインする旨の指示を受け付ける。
【００２９】
また、入力受付部１０２は、ログイン画面（図６）において、ユーザ識別情報、具体的にはＣＥ、管理者、または一般ユーザのユーザＩＤおよびパスワードの入力を受け付ける。また、入力受付部１０２は、ログイン画面からＣＥのユーザＩＤおよびパスワードの入力を受け付けた後に表示されたＣＥモード画面（図７）において、保守操作項目の選択入力、保守操作項目を重要項目に設定する入力、保守操作項目を重要項目から解除する設定（変更指示）の入力、保守操作項目の設定値を変更する場合の文字や数字の入力、保守操作項目の示す保守操作の実行指示の入力等を受け付ける。
【００３０】
認証部１０３は、ログイン画面（図６）からユーザＩＤおよびパスワード（ユーザ識別情報）の入力を受け付けた場合、記憶部１２０に保存（記憶）されている認証情報（図３）と照合して認証処理を行う。
【００３１】
項目管理部１０４は、画像形成装置１００の保守操作項目の設定を管理するものである。具体的には、例えば、項目管理部１０４は、重要管理フラグのチェックボックスｋ（図７）がチェックされた場合、保守操作項目を、保守作業者および管理者が管理する重要項目に設定する。また、項目管理部１０４は、重要管理フラグのチェックボックスｋのチェックが外された場合、保守操作項目に設定重要項目の設定を解除する。
【００３２】
実行部１０５は、保守操作項目の実行指示が入力された場合、当該保守操作項目が示す保守操作を実行する。ここで、実行部１０５は、保守操作項目が重要項目に設定されていない場合は、ＣＥモードにおいて実行指示が入力されると、そのまま保守操作を実行する。一方、実行部１０５は、保守操作項目が重要項目に設定されている場合は、ＣＥモードにおいて実行指示が入力された後、管理者の認証処理が成功した場合に、保守操作を実行する。
【００３３】
ログ管理部１０６は、実行部１０５により重要項目に設定された保守操作項目が示す保守操作を実行した場合、当該保守操作が実行された旨を示すログを記憶部１２０に記録する。
【００３４】
次に、本実施形態の画像形成装置１００で実行される保守操作管理処理について、図８−１、８−２を用いて説明する。図８−１、８−２は、本実施形態の画像形成装置で実行される保守管理操作処理の流れを示すフローチャートである。なお、図８−１、８−２では、ユーザとしてＣＥにより操作が行われている場合について説明する。
【００３５】
図８−１に示すように、まず、画像形成装置１００を起動した場合、表示制御部１０１は、メニュー画面（図５）を表示する（ステップＳ１０）。入力受付部１０２は、メニュー画面から、ログインボタンが押下（タッチ）されたか否かを判断する（ステップＳ１１）。ログインボタンが押下されなかった場合（ステップＳ１１：Ｎｏ）は押下されるまで待機する。なお、メニュー画面から印刷指示などの他の指示入力を受け付けた場合は、受け付けた指示に基づく処理を実行する。
【００３６】
ログインボタンが押下された場合（ステップＳ１１：Ｙｅｓ）、表示制御部１０１は、ログイン画面（図６）を表示する（ステップＳ１２）。入力受付部１０２は、ログイン画面から、ＣＥによりユーザＩＤ、パスワードの入力を受け付ける（ステップＳ１３）。
【００３７】
認証部１０３は、受け付けたユーザＩＤ、パスワードと、記憶部１２０の認証情報（図３）とを照合して認証処理を行う。ＣＥの認証処理が成功しなかった場合（ステップＳ１４：Ｎｏ）、再度ログイン画面に戻る。一方、ＣＥの認証処理が成功した場合（ステップＳ１４：Ｙｅｓ）、ＣＥモードに移行し、表示制御部１０１は、ＣＥモード画面（図７）を表示する（ステップＳ１５）。
【００３８】
入力受付部１０２は、ＣＥモード画面から、保守操作項目の選択を受け付けたか否かを判断する（ステップＳ１６）。保守操作項目の選択を受け付けなかった場合（ステップＳ１６：Ｎｏ）、受け付けるまで待機する。
【００３９】
一方、保守操作項目の選択を受け付けた場合（ステップＳ１６：Ｙｅｓ）、表示制御部１０１は、選択された保守操作項目に応じた詳細情報を表示する（ステップＳ１７）。入力受付部１０２は、重要管理フラグのチェックボックスが押下されたか否かを判断する（ステップＳ１８）。重要管理フラグのチェックボックスが押下されなかった場合（ステップＳ１８：Ｎｏ）、ステップＳ２５へ進む。
【００４０】
一方、重要管理フラグのチェックボックスが押下された場合（ステップＳ１８：Ｙｅｓ）、項目管理部１０４は、選択された保守操作項目が重要項目に設定されているか否かを判断する（ステップＳ１９）。選択された保守操作項目が重要項目に設定されていなかった場合、すなわちチェックボックスにチェックが入っていない場合（ステップＳ１９：Ｎｏ）、項目管理部１０４は、当該保守操作項目を重要項目に設定（チェックボックスにチェックを入れる）し（ステップＳ２０）、ステップＳ２５へ進む。
【００４１】
一方、選択された保守操作項目が重要項目に設定されている場合、すなわちチェックボックスにチェックが入っている場合（ステップＳ１９：Ｙｅｓ）、表示制御部１０１は、ログイン画面（図６）を表示する（ステップＳ２１）。そして、入力受付部１０２は、ログイン画面から、管理者のユーザＩＤ、パスワードの入力を受け付ける（ステップＳ２２）。
【００４２】
認証部１０３は、受け付けたユーザＩＤ、パスワードと、記憶部１２０の認証情報（図３）とを照合して認証処理を行う。管理者の認証処理が成功しなかった場合（ステップＳ２３：Ｎｏ）、再度ログイン画面に戻る（ステップＳ２１）。一方、管理者の認証処理が成功した場合（ステップＳ２３：Ｙｅｓ）、項目管理部１０４は、選択された保守操作項目の重要項目の設定を解除（チェックボックスのチェックを外す）する（ステップＳ２４）。
【００４３】
次に、入力受付部１０２は、ＣＥモード画面から、選択された保守操作項目の示す保守操作の実行指示を受け付けたか否かを判断する（ステップＳ２５）。実行指示を受け付けていない場合（ステップＳ２５：Ｎｏ）、ステップＳ３１に進む。
【００４４】
一方、実行指示を受け付けた場合（ステップＳ２５：Ｙｅｓ）、入力受付部１０２は、選択された保守操作項目が重要項目であるか否かを判断する（ステップＳ２６）。重要項目でなかった場合（ステップＳ２６：Ｎｏ）、ステップＳ３０に進む。
【００４５】
一方、重要項目であった場合（ステップＳ２６：Ｙｅｓ）、表示制御部１０１は、ログイン画面（図６）を表示する（ステップＳ２７）。そして、入力受付部１０２は、ログイン画面から、管理者のユーザＩＤ、パスワードの入力を受け付ける（ステップＳ２８）。
【００４６】
認証部１０３は、受け付けたユーザＩＤ、パスワードと、記憶部１２０の認証情報（図３）とを照合して認証処理を行う。管理者の認証処理が成功しなかった場合（ステップＳ２９：Ｎｏ）、再度ログイン画面に戻る（ステップＳ２７）。
【００４７】
一方、管理者の認証処理が成功した場合（ステップＳ２９：Ｙｅｓ）、実行部１０５は、ステップＳ２５で受け付けた実行指示に基づいて、選択された保守操作項目の示す保守操作を実行する（ステップＳ３０）。
【００４８】
次に、入力受付部１０２は、ＣＥモード画面から、選択された保守操作項目の示す保守操作の設定値の入力を受け付けたか否かを判断する（ステップＳ３１）。設定値の入力を受け付けていない場合（ステップＳ３１：Ｎｏ）、ステップＳ３７に進む。
【００４９】
一方、設定値の入力を受け付けた場合（ステップＳ３１：Ｙｅｓ）、入力受付部１０２は、選択された保守操作項目が重要項目であるか否かを判断する（ステップＳ３２）。重要項目でなかった場合（ステップＳ３２：Ｎｏ）、ステップＳ３６に進む。
【００５０】
一方、重要項目であった場合（ステップＳ３２：Ｙｅｓ）、表示制御部１０１は、ログイン画面（図６）を表示する（ステップＳ３３）。そして、入力受付部１０２は、ログイン画面から、管理者のユーザＩＤ、パスワードの入力を受け付ける（ステップＳ３４）。
【００５１】
認証部１０３は、受け付けたユーザＩＤ、パスワードと、記憶部１２０の認証情報（図３）とを照合して認証処理を行う。管理者の認証処理が成功しなかった場合（ステップＳ３５：Ｎｏ）、再度ログイン画面に戻る（ステップＳ３３）。
【００５２】
一方、管理者の認証処理が成功した場合（ステップＳ３５：Ｙｅｓ）、項目管理部１０４は、ステップＳ３１で受け付けた設定値に基づいて、選択された保守操作項目の設定値を変更する（ステップＳ３６）。
【００５３】
次に、入力受付部１０２は、ＣＥモード画面から、ログアウトボタンが押下（タッチ）されたか否かを判断する（ステップＳ３７）。ログアウトボタンが押下されなかった場合（ステップＳ３７：Ｎｏ）、ステップＳ１５に戻る。一方、ログアウトボタンが押下された場合（ステップＳ３７：Ｙｅｓ）、ログアウトされて、処理が終了する。
【００５４】
このように、本実施形態の画像形成装置１００は、ログイン画面からＣＥのユーザＩＤおよびパスワードの入力を受け付けＣＥの認証処理が成功すると、ＣＥモードに移行してＣＥモード画面を表示する。そして、ＣＥモード画面から、保守操作項目の選択を受け付け、選択された保守操作項目が重要項目である場合に、当該保守操作項目が示す保守操作の実行指示や、重要項目の設定の解除（変更指示）等を受け付けると、ログイン画面を表示し、管理者のユーザＩＤおよびパスワードの入力を受け付ける。管理者の認証処理が成功した場合、保守操作を実行したり、重要項目の設定を解除する。従って、重要項目である保守操作の実行や、重要項目の設定の解除等について、管理者が把握、管理することができる。このため、保守作業者（ＣＥ）が保守操作を行う保守操作項目のうちの重要項目については保守作業者および管理者が管理することができる。
【００５５】
上記の実施形態では、管理者の認証処理を行うことにより、保守作業者および管理者が重要項目を管理できる構成となっていたが、保守操作が実行された主旨のログを出力する、もしくは、管理者の認証処理とログの出力の両方により、保守作業者および管理者が重要項目を管理する構成としてもよい。
【００５６】
なお、本実施形態の画像形成装置で実行されるプログラムは、ＲＯＭ等に予め組み込まれて提供される。本実施形態の画像形成装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５７】
さらに、本実施形態の画像形成装置で実行されるプログラムを、インターネット等のネットワークに接続されたコンピュータ上に格納し、ネットワーク経由でダウンロードさせることにより提供するように構成してもよい。また、本実施形態の画像形成装置で実行されるプログラムをインターネット等のネットワーク経由で提供または配布するように構成してもよい。
【００５８】
本実施形態の画像形成装置で実行されるプログラムは、上述した各部（表示制御部、入力受付部、認証部、項目管理部、実行部、ログ管理部）を含むモジュール構成となっており、実際のハードウェアとしてはＣＰＵ（プロセッサ）が上記ＲＯＭからプログラムを読み出して実行することにより上記各部が主記憶装置上にロードされ、上記各部が主記憶装置上に生成されるようになっている。また、例えば、上述した各部の機能のうちの一部または全部が専用のハードウェア回路で実現されてもよい。
【００５９】
なお、上記実施形態では、本発明の電子機器を画像形成装置に適用した例を示したが、保守操作を行う電子機器であればいずれにも適用することができる。
【符号の説明】
【００６０】
１００  画像形成装置
１０１  表示制御部
１０２  入力受付部
１０３  認証部
１０４  項目管理部
１０５  実行部
１０６  ログ管理部
１２０  記憶部
【先行技術文献】
【特許文献】
【００６１】
【特許文献１】特開２００４−３０３２１５号公報
【図１】
2019159429.tif 000003
【図２】
2019159429.tif 000004
【図３】
2019159429.tif 000005
【図４】
2019159429.tif 000006
【図５】
2019159429.tif 000007
【図６】
2019159429.tif 000008
【図７】
2019159429.tif 000009
【図８−１】
2019159429.tif 000010
【図８−２】
2019159429.tif 000011